(57)【要約】【目的】ゴルフボールを目標とする方向に精度よく打ち出し得るゴルフパターの提供。【構成】シャフト１の先端にパターヘッド３を設けたゴルフパターであり、パターヘッド３はゴルフボールを打撃するためのフェース面４を有する。特に、パターヘッド３の幅方向両端部にはフェース面４より打球方向に張り出す左右一対のスイングガイド部７，８が設けられる。アドレス時にはスイングガイド部７，８を目標方向に沿わしてフェース面４を目標方向に向けることができ、スイング中にはスイングガイド部７，８によりパターヘッド３のローリングがプレーヤ自身に拡大して視認される。これにより、打球直前にスイングを修正してフェース面４を目標方向に合致させた状態で打球することができる。【選択図】図１
2006026118.tif 000002
【特許請求の範囲】
【請求項１】
シャフトの先端に、ゴルフボールを打撃するためのフェース面を有するパターヘッドを設けたゴルフパターにおいて、前記パターヘッドの幅方向一端部又は両端部に、前記フェース面より打球方向に張り出すスイングガイド部が設けられることを特徴とするゴルフパター。
【発明の詳細な説明】
【技術分野】
【０００１】
本発明はゴルフで使用されるクラブ、それもパッティングに用いられるゴルフパターに係わり、特にゴルフボールを目標とする方向に精度よく打ち出し得るようにしたゴルフパターに関する。
【背景技術】
【０００２】
ゴルフクラブはドライバー、アイアン、パターなどから構成されるが、グリーン上では一般にパターが用いられ、カップまでの距離、グリーンの傾斜、並びに芝目などを視認した上でスイングストロークを調整しながらゴルフボールを目標とする方向に打ち出すが、この際の打撃力はストロークにより比較的に容易に調整できるものの、打球方向を目標方向に精度良く合致させることは至極困難である。
【０００３】
つまり、フェース面を目標に向けてスイングした積もりでも、スイング中にパターヘッドがシャフトの軸心回りに回動（ローリング）するなどしてフェース面の向きが初期設定した目標方向に対してずれたまま打球してしまうために、ゴルフボールが目標方向に打ち出されず不本意な結果となる。
【０００４】
図６のように、目標方向に対してフェース面ｆの指向方向が所定の角度θをもって打球された場合には、ゴルフボールの目標到達点Ｐ1に対する実到達点Ｐ2の距離Ｓは、打球位置Ｐ0から目標到達点Ｐ1までの距離Ｌ×ｔａｎθとなるので、目標までの距離Ｌが大きくなればなるほど実到達点Ｐ2が目標到達点Ｐ1から離れてしまうという結果になる。
【０００５】
例えば、θ＝５．４２、Ｌ＝１０ｍであれば、Ｓ≒１ｍとなり、数回のパッティングを余儀なくされるので好スコアは期待できなくなる。
【０００６】
そこで、カップインの成功率を高めるべく自立型のゴルフパターにして、これを自立させた状態でグリーンの状態や打球方向を離れた位置から確認できるようにしたものが知られる（例えば、特許文献１）。
【０００７】
又、シャフトの側面に平面状の反射部を設け、その反射部にヘッドの向きに直角な照準線を表示したものが知られる（例えば、特許文献２）。
【０００８】
【特許文献１】特許第３１６７１１２号公報
【０００９】
【特許文献２】特許第２８４１０５９号公報
【発明の開示】
【発明が解決しようとする課題】
【００１０】
然しながら、特許文献１のゴルフパターではフェース面を目標に向けた状態で自立させることができても、その状態を保ったままスイングすることは至難であり、現実には経験の浅いアマチュアゴルファーを主としてスイング中の手振れなどによりヘッドがローリングし、これを修正できぬまま打球してしまうことが殆どである。
【００１１】
又、特許文献２のゴルフパターでは、反射部にゴルフボールとカップとを映して打球方向をカップに合わせることができるものの、打球方向をカップに向かって直線状に合わせることは稀であり、現実にはスライスラインやフックラインを見込んで該ライン上付近に存在する小石などを目標として打球方向を定めるので、この場合には目標として定めた小石などを反射部に視認可能に映すことは到底無理であり、仮に係る小目標物を映すことができたとしても、これを照準線上に重ねたままスイングできるものとは考えられない。
【００１２】
本発明は以上のような事情に鑑みて成されたものであり、その目的はフェース面を目標とする方向に向けた状態で適正に打球できるようにすることにある。
【課題を解決するための手段】
【００１３】
本発明は上記目的を達成するため、シャフトの先端に、ゴルフボールを打撃するためのフェース面を有するパターヘッドを設けたゴルフパターにおいて、前記パターヘッドの幅方向一端部又は両端部に、前記フェース面より打球方向に張り出すスイングガイド部が設けられることを特徴とする。
【００１４】
尚、上記のようなゴルフパターにおいて、スイングガイド部がシャフトの接続ポイントに対して打球方向とは逆のパターヘッドの後方にも張り出していることが好ましい。
【００１５】
又、上記のようなゴルフパターにおいて、パターヘッドとスイングガイド部が金属の一体成形物とされていることが望ましい。
【発明の効果】
【００１６】
本発明のゴルフパターによれば、パターヘッドのフェース面より打球方向に張り出すスイングガイド部が設けられることから、係るスイングガイド部を目標方向に沿わしてアドレスを執ることができ、しかもスイング中にはパターヘッドのローリングに起因する目標方向に対するフェース面の指向方向のずれが拡大された状態で視認されることから、プレーヤ自身にローリングの発生を逸早く気付かし、打球直前にスイングを修正せしめて目標方向への正確なパッティングを実現できる。
【発明を実施するための最良の形態】
【００１７】
以下、図面に基づいて本発明を詳しく説明する。図１は本発明に係るゴルフパターを部分的に破断して斜視概略図である。図１において、１はスチールやカーボンなどから成るシャフトであり、その上部一端はゴム管などを装着したグリップ２とされ、下部先端にはパターヘッド３が取り付けられる。
【００１８】
パターヘッド３は金属製であり、その前面はゴルフボールを打撃するための平面状のフェース面４とされる。５はフェース面４内に存するスイートスポットであり、パターヘッド３の上面前部にはスイートスポット５の中心を示すマーク６が付される。
【００１９】
特に、パターヘッド３の幅方向両端部にはその前後方向に伸びる板状乃至は棒状のスイングガイド部７，８が設けられる。尚、パターヘッド３の幅方向とはフェース面４の幅方向、つまりアドレス時においてプレーヤのトウ及びヒール側である。
【００２０】
本例において、両スイングガイド部７，８はパターヘッド３を挟んで平行し、フェース面４に対して直交している。又、スイングガイド部７，８はその前端７Ａ，８Ａがフェース面４より打球方向（前方）に張り出し、その後端７Ｂ，８Ｂもシャフトの接続ポイント９に対して打球方向とは逆のパターヘッド３の後方に張り出している。
【００２１】
係るスイングガイド７，８は、打球方向を目標とする方向に合致させるための目印となるもので、スイング中にはパターヘッド３のローリングをプレーヤ自身に逸早く気付かして打球時までにパターヘッド３の姿勢を矯正させる働きをする。又、図示例のように左右一対のスイングガイド部７，８をもつパターヘッド３では、自立型にすることも容易である。
【００２２】
尚、スイングガイド部の前端は図示のように丸めるか、あるいは上方に向かって先細りの形態とすることが好ましく、これにより打球直前にスイングガイド部で地面を叩く所謂ダフリを防止する効果が得られる。更に、スイングガイド部７，８は穿孔を施すなどして部分的に切り欠いてもよく、これにより材料の削減とパターの軽量化を図ることが可能となる。
【００２３】
又、スイングガイド部７，８はパターヘッド３に対してねじ止めしてもよいが、本例ではスイングガイド部７，８とパターヘッド３が金属の一体成形物とされる。例えば、係る金属材料にステンレス鋼、アルミニウム、又はアルミニウム合金などを用いてスイングガイド部７，８とパターヘッド３とを鋳造や鍛造により一体成形するが、スイートスポット５の部分にチタンなどの超硬金属を用いてこれをフェース面４に後付するようにしてもよい。
【００２４】
次に、図２はパターヘッドを示した平面図であり、図３には図２のＸ−Ｘ断面を示す。これらの図において、フェース面４からスイングガイド部７，８の前端までの長さＡは、フェース面４の幅Ｗに対して０．２Ｗ≦Ａ≦１Ｗに設定され、フェース面４からスイングガイド部７，８の後端までの長さＢは、Ｂ≦Ｗ、シャフトの接続ポイント９からスイングガイド部７，８の後端までの長さＣは、０．２Ｗ≦Ｃ≦０．９Ｗに設定される。
【００２５】
尚、Ａ＜０．２Ｗであるとスイングガイド部７，８の効果が十分に発揮されず、Ａ＞１Ｗであるとダフリの危険性が高まるばかりでなく打球がスイングガイド部７，８に当たって二度打ちの罰則を受ける危険性がある。又、Ｂ＞Ｗはゴルフ規則に違反し、０．２Ｗ≦Ｃ≦０．９Ｗの範囲を外れるとスイングガイド部７，８によりパターヘッド３の前後の重量バランスが崩れて適正なスイングができなくなる危険性がある。
【００２６】
ここで、以上のように構成される本願ゴルフパターの作用を説明すると、図４の矢印方向を打球の目標方向と定めた場合、アドレス時にスイングガイド部７，８を目標方向に沿わしてフェース面４の向きを目標方向に合致させることができる。
【００２７】
一方、スイング時には、スイングガイド部７，８がフェース面４より打球方向に張り出していることによりパターヘッド３がローリングした場合、そのローリング現象が図示想像線の如く拡大された状態でプレーヤ自身にはっきりと視認される。このため、プレーヤは無意識のうちローリングを矯正し、打球時にはフェース面４が目標方向に向けられたアドレス時の状態に一致する。
【００２８】
しかして、ゴルフボールＧはプレーヤが設定した目標方向に正確に打ち出され、係る目標方向の設定が正しければカップインとなる。尚、打球時にフェース面４の向きを目標方向に対して完全一致させることができなくとも、打球直前に例えば２度の修正ができたとすれば、５ｍ先で約１７．４ｃｍの軌道修正が達成されたことになる。
【００２９】
以上、本発明に係るゴルフパターの好例を説明したが、係るゴルフパターは上記例に限定されるものでなく、例えば図５のようにスイングガイド部７，８をフェース面４に直交して該フェース面４より打球方向にのみ突出せしめるようにしてもよい。但し、この場合にはパターヘッド３の後方中央部分をシャフトの接続ポイント９より後方に突出せしめるなどして前後の重量バランスを調整することが好ましい。
【００３０】
又、上記例ではパターヘッド３の幅方向両端部に左右一対のスイングガイド部７，８を設けたが、プレーヤ側に向けられる一方のスイングガイド部８を省略し、他方側のスイングガイド部７のみを設けた構成としてもよい。
【００３１】
更に、図示例ではスイングガイド部７，８を扁平な板状として示したが、これを棒状としても良く、更には複数の管を長さ方向に摺動自在に嵌合した伸縮軸としてもよい。
【図面の簡単な説明】
【００３２】
【図１】本発明に係るゴルフパターを部分的に破断して示した斜視図
【図２】同ゴルフパターのヘッドを示す平面図
【図３】図２におけるＸ−Ｘ断面図
【図４】本願ゴルフパターの作用を示す説明図
【図５】本発明の変更例を示すパターヘッドの平面図
【図６】従来パターの説明図
【符号の説明】
【００３３】
１  シャフト
２  グリップ
３  パターヘッド
４  フェース面
５  スイートスポット
６  マーク
７，８  スイングガイド部
９  シャフトの接続ポイント
【図１】
2006026118.tif 000003
【図２】
2006026118.tif 000004
【図３】
2006026118.tif 000005
【図４】
2006026118.tif 000006
【図５】
2006026118.tif 000007
【図６】
2006026118.tif 000008